(57)【要約】【課題】複数の基板収容ボックスを弾球遊技機の裏面側に配置する際の場所の制約を緩和するとともに、取り付けに要する部材を減らし、取り付け作業の簡素化を目的とする構成とした弾球遊技機を提供する。【解決手段】入賞領域及び排出領域から排出された遊技球を遊技盤裏面側に集合する集合板と、制御基板を収容するケース体とケース体を被着するカバー体とからなる複数の基板収容ボックスと、遊技球を当該弾球遊技機外に排出する誘導流路部が形成されるとともに複数の基板収容ボックスのうちの少なくとも一つが第１の基板収容ボックスとして設けられた機構板とを備えた弾球遊技機において、複数の基板収容ボックスのうち第１の基板収容ボックスと異なる第２の基板収容ボックスの一端側を遊技盤裏面側に取り付ける第１の取付手段と、当該第２の基板収容ボックスの他端側を第１の基板収容ボックスに取り付ける第２の取付手段とを備えたことを特徴とする。【選択図】        図９
2004321677.tif 000002
【特許請求の範囲】
【請求項１】
遊技盤の前面に形成された入賞領域及び排出領域から排出された遊技球を遊技盤の裏面側に集合する集合板と、遊技に関する制御を行う制御基板を収容するケース体と前記ケース体を被着するカバー体とからなる複数の基板収容ボックスと、前記集合板内を流下する遊技球を当該弾球遊技機外に排出する誘導流路部が形成されるとともに前記複数の基板収容ボックスのうちの少なくとも一つが第１の基板収容ボックスとして設けられた機構板とを備えた弾球遊技機において、
前記複数の基板収容ボックスのうち前記第１の基板収容ボックスと異なる第２の基板収容ボックスの一端側を前記遊技盤裏面側に取り付ける第１の取付手段と、当該第２の基板収容ボックスの他端側を前記第１の基板収容ボックスに取り付ける第２の取付手段とを備えたことを特徴とする弾球遊技機。
【請求項２】
前記第２の取付手段は、前記第２の基板収容ボックスの外周面の少なくとも一部と前記第１の基板収容ボックスの外周面の少なくとも一部とが併設状態とされることにより取り付けられることを特徴とする請求項１に記載の弾球遊技機。
【請求項３】
前記第１の取付手段は、前記集合板から弾球遊技機後方側に突出して形成された突出取付部を含み、前記第２の基板収容ボックスが前記突出取付部と係着することにより前記遊技盤裏面側に取付可能に構成されていることを特徴とする請求項１又は２に記載の弾球遊技機。
【請求項４】
前記弾球遊技機裏面側から見て前記第１の基板収容ボックスの上部側に前記第２の基板収容ボックスが積層配置するように構成され、前記第１の基板収容ボックスの外周面の少なくとも一部と併設状態となる前記第２の基板収容ボックスの併設部を受け止め可能な受け部が前記第１の基板収容ボックスに形成され、前記受け部と前記第２の基板収容ボックスが前記第２の取付手段により取付可能としたことを特徴とする請求項１ないし３のいずれか１項に記載の弾球遊技機。
【請求項５】
前記受け部は、前記第１の基板収容ボックスの前記機構板への取付面と対向する面から弾球遊技機後方側に向けて突出した凸部であることを特徴とする請求項４に記載の弾球遊技機。
【請求項６】
前記第１の基板収容ボックスの前記機構板への取付面と対向する面が段部として形成され、前記受け部は、前記段部を構成する面のうち前記取付面と略垂直方向に形成された面であることを特徴とする請求項４に記載の弾球遊技機。
【請求項７】
前記機構板の少なくとも一部に開口部を有することを特徴とする請求項１ないし６のいずれか１項に記載の弾球遊技機。
【請求項８】
前記遊技盤と前記第２の基板収容ボックスの間に他の基板収容ボックスが配設される空間を有することを特徴とする請求項１ないし７のいずれか１項に記載の弾球遊技機。
【請求項９】
前記第２の取付手段は複数備えられており、前記第２の基板収容ボックスは前記第２の取付手段の少なくとも１つにより前記第１の基板収容ボックスに取り付けられるとともに、前記第２の取付手段の少なくとも１つにより前記機構板に配設された前記第１の基板収容ボックス及び第２の基板収容ボックス以外の第３の基板収容ボックスに取付可能に構成されたことを特徴とする請求項１ないし８のいずれか１項に記載の弾球遊技機。
【発明の詳細な説明】
【０００１】
【発明の属する技術分野】
この発明は、パチンコ遊技機等の弾球遊技機に使用する基板収容ボックスの固定構造に関するものである。
【０００２】
【従来の技術】
パチンコ遊技機等の弾球遊技機は、遊技に関する各種制御を行うため、ＣＰＵ，ＲＯＭ，ＲＡＭの他、コンデンサー等の各種電子部品を装着した制御基板を収容する基板収容ボックスが複数設けられている。前記基板収容ボックスとしては、主制御基板収容ボックス、払出制御基板収容ボックス、電源基板収容ボックス等、種々がある。これらの基板収容ボックスは、弾球遊技機の裏面側に配置された集合板や機構板等におけるそれぞれ所定位置に取り付けられる構成であった。
【０００３】
従来、各種基板収容ボックスの取り付け構造にあっては、個々の基板収容ボックスを前記遊技機裏面側の集合板や機構板等の所定位置に取り付ける場合、単独で集合板や機構板等の所定位置に取り付ける構造が大半であった。そのため、複数の基板収容ボックスを所定位置に取り付ける際、例えば、ビスや取付台等の取り付けに要する部品（取付具）が増え、遊技機の組み立て作業が煩雑化する他、前記取付具の紛失、取り付け忘れ等の問題があった。この点については、係合突片、コネクタ等を備え、取付台や基板収容ボックス同士を取り付ける構造の遊技機がある（例えば、特許文献１参照。）。
【０００４】
しかしながら、近年の弾球遊技機にあっては、遊技の複雑化に伴い制御するデータ量が増加し、これに対応して制御処理を円滑に行うため、制御基板が拡大する傾向にある。さらに、遊技盤前面に配置される画像表示部にＴＦＴ−ＬＣＤモジュール等を利用した液晶表示装置が多用され、同液晶表示装置の大型化に伴い、複数の基板収容ボックスを遊技機裏面側に取り付ける際の場所（空間）の制約をますます受けるようになり、従前の特許文献１の取り付け構造を用いたとしても対応しきれなくなってきている。
【０００５】
【特許文献１】
特開２０００−９３６２１号公報（第７−１０頁、第４，１１−１３図）
【０００６】
【発明が解決しようとする課題】
本発明は、上記の点に鑑みなされたものであり、複数の基板収容ボックスを弾球遊技機の裏面側に配置する際の場所の制約を緩和するとともに、取り付けに要する部材を減らし、取り付け作業の簡素化を目的とする構成とした弾球遊技機を提供するものである。
【０００７】
【課題を解決するための手段】
すなわち、請求項１の発明は、遊技盤の前面に形成された入賞領域及び排出領域から排出された遊技球を遊技盤の裏面側に集合する集合板と、遊技に関する制御を行う制御基板を収容するケース体と前記ケース体を被着するカバー体とからなる複数の基板収容ボックスと、前記集合板内を流下する遊技球を当該弾球遊技機外に排出する誘導流路部が形成されるとともに前記複数の基板収容ボックスのうちの少なくとも一つが第１の基板収容ボックスとして設けられた機構板とを備えた弾球遊技機において、前記複数の基板収容ボックスのうち前記第１の基板収容ボックスと異なる第２の基板収容ボックスの一端側を前記遊技盤裏面側に取り付ける第１の取付手段と、当該第２の基板収容ボックスの他端側を前記第１の基板収容ボックスに取り付ける第２の取付手段とを備えたことを特徴とする弾球遊技機に係る。
【０００８】
請求項２の発明は、前記第２の取付手段が、前記第２の基板収容ボックスの外周面の少なくとも一部と前記第１の基板収容ボックスの外周面の少なくとも一部とが併設状態とされることにより取り付けられることを特徴とする請求項１に記載の弾球遊技機に係る。
【０００９】
請求項３の発明は、前記第１の取付手段が、前記集合板から弾球遊技機後方側に突出して形成された突出取付部を含み、前記第２の基板収容ボックスが前記突出取付部と係着することにより前記遊技盤裏面側に取付可能に構成されていることを特徴とする請求項１又は２に記載の弾球遊技機に係る。
【００１０】
請求項４の発明は、前記弾球遊技機裏面側から見て前記第１の基板収容ボックスの上部側に前記第２の基板収容ボックスが積層配置するように構成され、前記第１の基板収容ボックスの外周面の少なくとも一部と併設状態となる前記第２の基板収容ボックスの併設部を受け止め可能な受け部が前記第１の基板収容ボックスに形成され、前記受け部と前記第２の基板収容ボックスが前記第２の取付手段により取付可能としたことを特徴とする請求項１ないし３のいずれか１項に記載の弾球遊技機に係る。
【００１１】
請求項５の発明は、前記受け部が、前記第１の基板収容ボックスの前記機構板への取付面と対向する面から弾球遊技機後方側に向けて突出した凸部であることを特徴とする請求項４に記載の弾球遊技機に係る。
【００１２】
請求項６の発明は、前記第１の基板収容ボックスの前記機構板への取付面と対向する面が段部として形成され、前記受け部が、前記段部を構成する面のうち前記取付面と略垂直方向に形成された面であることを特徴とする請求項４に記載の弾球遊技機に係る。
【００１３】
請求項７の発明は、前記機構板の少なくとも一部に開口部を有することを特徴とする請求項１ないし６のいずれか１項に記載の弾球遊技機に係る。
【００１４】
請求項８の発明は、前記遊技盤と前記第２の基板収容ボックスの間に他の基板収容ボックスが配設される空間を有することを特徴とする請求項１ないし７のいずれか１項に記載の弾球遊技機に係る。
【００１５】
請求項９の発明は、前記第２の取付手段は複数備えられており、前記第２の基板収容ボックスは前記第２の取付手段の少なくとも１つにより前記第１の基板収容ボックスに取り付けられるとともに、前記第２の取付手段の少なくとも１つにより前記機構板に配設された前記第１の基板収容ボックス及び第２の基板収容ボックス以外の第３の基板収容ボックスに取付可能に構成されたことを特徴とする請求項１ないし８のいずれか１項に記載の弾球遊技機に係る。
【００１６】
【発明の実施の形態】
以下添付の図面に従ってこの発明を詳細に説明する。
図１は本発明の一実施例に係る弾球遊技機全体の正面図、図２は同弾球遊技機全体の裏面図、図３は機構板の斜視図、図４は機構板に払出制御基板収容ボックス及び電源基板収容ボックスを取り付けた状態の斜視図、図５は主制御基板収容ボックスを払出制御基板収容ボックスと電源基板収容ボックスに取り付ける際の機構板を省略した状態を表す斜視図、図６は主制御基板収容ボックスを集合板に取り付ける状態を表す斜視図、図７は主制御基板収容ボックスを集合板に取り付けた際の機構板を省略した状態の斜視図、図８は図２のＡ−Ａ線の位置で切断した状態の部分断面図、図９は図２のＢ−Ｂ線の位置で切断した状態の部分断面図、図１０は図２のＡ−Ａ線の位置で切断した状態の第２の取付手段の第二実施例に係る部分断面図、図１１は図２のＡ−Ａ線の位置で切断した状態の第２の取付手段の第三実施例に係る部分断面図、図１２は第２の取付手段の第四実施例に係る部分斜視図である。
【００１７】
図１に示す弾球遊技機１は、枠体２の内側に遊技盤３が着脱交換可能に収容されており、その遊技盤３に遊技球の外側誘導レール４及び内側誘導レール５が略円形に立設され、遊技盤３の前記外側誘導レール４と内側誘導レール５によって囲まれた遊技領域６の中心線上にその上部から下部に向かって順に画像表示装置９、普通電動役物である第１種始動入賞口１０、特別電動役物である大入賞口１５、アウト口（排出口とも称される。）１７が配設され、また上方両側にはランプ風車１８ａ，１８ｂ、その下方に普通図柄変動開始用左ゲート１９と普通図柄変動開始用右ゲート２１、その下方に風車２２ａ，２２ｂ、その下方に左袖入賞口２３と右袖入賞口２５、さらには前記大入賞口１５の両側に左落とし入賞口２７と右落とし入賞口２９が配設されている。
【００１８】
実施例の弾球遊技機１において、第１種始動入賞口１０、大入賞口１５、左袖入賞口２３と右袖入賞口２５、左落とし入賞口２７と右落とし入賞口２９の入賞口が、入賞領域に相当する。また、アウト口１７が、排出領域に相当する。
【００１９】
また、前記枠体２の前面側には、払い出された遊技球を受け、遊技者の発射操作に応じて遊技球を遊技盤３の遊技領域６に向けて発射する発射装置Ｈ及び当該発射装置Ｈに遊技球を供給する上側遊技球貯留皿３１、前記上側遊技球貯留皿３１の飽和時に遊技球を受けるための下側遊技球貯留皿３２、遊技状態を報知するランプ表示器３３，３４、音声や効果音を発して遊技状態を遊技者に報知するスピーカ８等がそれぞれ組み付けられている。
【００２０】
図中の画像表示装置９は、ＴＦＴ−ＬＣＤモジュール等の液晶表示装置を用いた画像表示部からなる図柄表示装置であり、図示はしないが特別図柄及び普通図柄の他、背景等の遊技画像が表示される。前記図柄表示装置を構成する画像表示部は、前記の液晶表示盤に限られるものではなく、ＬＥＤ、ＥＬ、ＣＲＴやその他発光体で構成されていてもよい。
【００２１】
図２に示すように、弾球遊技機１の裏面側には、前記枠体２を固定する機構板４０が設けられ、該機構板４０には、貯留タンク４１、タンクレール４２の他、誘導流路部５０，集合板６０，主制御基板収容ボックス７０，払出制御基板収容ボックス８０，電源基板収容ボックス９０等の遊技に関する各種基板収容ボックスが備え付けられている。なお、図において符号４９は機構板４０の開口部、７１は主制御基板収容ボックス７０の一端側に設けられた取付部、７２は主制御基板収容ボックス７０の他端側に設けられた併設部、１１０は前記取付部７１を遊技盤裏面側に固定する固定具である。
【００２２】
実施例の機構板４０は、例えば図３に示すように、その上部に当該弾球遊技機１へ供給する遊技球を貯留する貯留タンク４１と、該貯留タンク４１の下面から前記機構板４０の側部（実施例では右側部）を経て弾球遊技機１に遊技球を供給するタンクレール４２が設けられ、中央部には図柄表示装置等を配置するための開口部４９が形成される構成である。また、前記機構板４０の下部は基板収容ボックスの取り付け部分であり、前記機構板４０の右下部が払出制御基板収容ボックス８０を取り付ける払出制御基板取付面４５，左下部が電源基板収容ボックスを取り付ける電源基板取付面４６となっている。さらに、中下部には誘導流路部５０が設けられており、後述する集合板６０内を流下する遊技球を当該弾球遊技機１外に排出するように構成されている。
【００２３】
前記基板収容ボックスは、遊技に関する制御を行う制御基板を収容するケース体と前記ケース体を被着するカバー体とからなるものであって、例えば図５に示す払出制御基板収容ボックス８０のように、ケース体（払出制御基板のケース体８５）に図示しない制御基板（払出制御基板）を収容し、そのケース体（８５）にカバー体（払出制御基板のカバー体８６）を合着させて一体化する構成である。実施例において、基板収容ボックスには、主制御基板収容ボックス７０，払出制御基板収容ボックス８０，電源基板収容ボックス９０，合同基板収容ボックス１００等、各種制御基板が収容された複数の収容ボックスが含まれている。なお、この実施例においては、主制御基板収容ボックス７０を第２の基板収容ボックス、払出制御基板収容ボックス８０を第１の基板収容ボックスとし、前記第１の基板収容ボックスを機構板４０に取り付けるものとする。
【００２４】
集合板６０は、遊技盤３の前面に形成された前記各種入賞領域及び排出領域から排出された遊技球を遊技盤３の裏面側に集合させるものであって、例えば図６及び図７に示すように前記遊技盤３の裏面３ｂの下部に取り付けられる。また、集合板６０には、当該弾球遊技機１の後方側（裏面側）に突出して形成された突出取付部６１と合同基板収容ボックス１００を集合板６０に固定する合同基板用取付部６７がそれぞれ左右両側に設けられている。前記突出取付部６１は、遊技盤３と主制御基板収容ボックス７０との間に他の基板収容ボックス（実施例では合同基板収容ボックス１００）が配設可能な空間が形成可能なように所定の長さｄを有する。
【００２５】
主制御基板収容ボックス（第２の基板収容ボックス）７０は遊技系統の制御を行う主制御基板を収容した収容ボックスであって、図５に示すように、外周面７９には一端側である取付部７１がその上部の左右両側に設けられ、また外周面７９には他端側である併設部７２がその下部の左右両側に設けられている。前記取付部７１は、固定具１１０によって前記突出取付部６１に係着されるように構成されたものである（図６参照）。また、前記併設部７２により、主制御基板収容ボックス（第２の基板収容ボックス）７０の外周面７９の少なくとも一部と払出制御基板収容ボックス（第１の基板収容ボックス）８０の外周面８７及び電源基板収容ボックス（後述する第３の基板収容ボックス）９０の外周面９７の少なくとも一部と併設状態となる。
【００２６】
払出制御基板収容ボックス（第１の基板収容ボックス）８０は、カードユニット（図示せず）と連動して遊技球の供給を制御する他、遊技球の入賞領域への入球に応じて所定数の遊技球の払い出しを制御する払出制御基板を収容した収容ボックスであって、ケース体８５を前記払出制御基板取付面４５に固定することによって前記機構板４０に取り付けられる。また、図５に示したように、カバー体８６にはケース体８５の取付面に対向する外周面８７から当該弾球遊技機１後方側（裏面側）に向けて突出する受け部（凸部）８２が設けられている。該受け部８２は、外周面８７から略Ｕ字状に突出した形状であり、前記主制御基板収容ボックス７０の併設部７２を受け止め可能に形成され、前記主制御基板収容ボックス７０と払出制御基板収容ボックス８０とが併設状態となるように前記併設部７２と取付可能に構成されたものである。
【００２７】
電源基板収容ボックス９０は外部から供給される電力を当該弾球遊技機１の各種制御基板に供給する電源基板を収容した収容ボックスであり、実施例においては、前記第１の基板収容ボックス（払出制御基板収容ボックス８０）及び第２の基板収容ボックス（主制御基板収容ボックス７０）以外の第３の基板収容ボックスとして、ケース体９５を前記電源基板取付面４６に固定し、前記機構板４０に取り付けられる。前記電源基板収容ボックス９０において、図５に示すように、カバー体９６にはケース体９５の取付面に対向する外周面９７が設けられ、該外周面９７には前記ケース体９５の取付面に対向する対向面９８ａ及び９８ｃと、前記対向面９８ａ及び９８ｃとの間に設けられ前記ケース体９５の取付面に対して略垂直方向に形成された垂直面９８ｂからなる段部９８が形成されている。この段部９８の垂直面９８ｂには、前記主制御基板収容ボックス７０の併設部７２を受け止め可能に構成された凹状の受け部９２が形成され、前記主制御基板収容ボックス７０と電源基板収容ボックス９０とが併設状態となるように前記併設部７２と取付可能に構成されている。
【００２８】
合同基板収容ボックス１００は、遊技状態に応じて遊技者に音声や効果音を発して報知等を行うスピーカ８等を制御する音声制御基板と、遊技状態に応じて遊技者に光によって報知等を行うランプ表示器３３，３４等を制御するランプ制御基板とを一体に収容した収容ボックスである。図６に示すように、前記合同基板収容ボックス１００は、集合板６０の合同基板用取付部６７によって集合板６０に固定され、遊技盤３と主制御基板収容ボックス７０との間に配設される。
【００２９】
次に、図４ないし７を用いて、本発明の基板収容ボックスの固定構造を取付手順に従って説明する。まず、図４に示すとおり、機構板４０に設けられた払出制御基板取付面４５と電源基板取付面４６とに、それぞれ払出制御基板収容ボックス（第１の基板収容ボックス）８０と電源基板収容ボックス（第３の基板収容ボックス）９０とがビス等の部材を用いて取り付けられる。
【００３０】
続いて、図５に示すとおり、主制御基板収容ボックス（第２の基板収容ボックス）７０が前記払出制御基板収容ボックス８０と電源基板収容ボックス９０とに取り付けられる。前記主制御基板収容ボックス７０と払出制御基板収容ボックス８０との取付方法は、例えば図８（ａ）に示すように、払出制御基板収容ボックス８０の受け部８２の開口部８３に対して略直上方向から主制御基板収容ボックス７０のケース体の機構板側の外周面７９と払出制御基板収容ボックス８０の外周面８７とが併設するように主制御基板７０の併設部７２を挿入し、図８（ｂ）のように前記受け部８２によって前記外周面７９を受け止めるように構成されている。
【００３１】
また、主制御基板収容ボックス７０と電源基板収容ボックス９０との取付方法は、図９（ａ）に示すように、電源基板収容ボックス９０のカバー体９６に形成された対向面９８ａ、９８ｃ及び垂直面９８ｂからなる段部９８の前記垂直面９８ｂに設けられた受け部９２の孔部９２ｏに対して略直上方向から主制御基板収容ボックス７０のケース体の機構板側の外周面７９と電源基板収容ボックス９０の外周面９７とが併設するように主制御基板収容ボックス７０の併設部７２を挿入し、図９（ｂ）のように前記受け部９２によって前記外周面７９を受け止めるように構成されている。よって、主制御基板収容ボックス７０を安定して支えることが可能である。
【００３２】
上記のように主制御基板収容ボックス７０の併設部７２が、払出制御基板収容ボックス８０の受け部８２と電源基板収容ボックス９０の受け部９２とによって受け止められることにより、図６又は図７に示すように、前記主制御基板収容ボックス７０は前記払出制御基板収容ボックス８０及び前記電源基板収容ボックス９０の上部側に積層配置され、併設状態となる。なお、前記併設部７２と払出制御基板収容ボックス８０の受け部８２、前記併設部７２と電源基板収容ボックス９０の受け部９２は、それぞれ第２の取付手段に相当する。
【００３３】
主制御基板収容ボックス７０は、遊技盤３の裏面３ｂ側に機構板４０が配置された後に、払出制御基板収容ボックス８０及び電源基板収容ボックス９０と併設するように機構板４０の開口部４９を介して集合板６０に取り付けられる。また、図６に示すように、前記遊技盤３の裏面３ｂ下部には、あらかじめ集合板６０と合同基板収容ボックス１００とが取り付けられており、前記集合板６０をビス等の部材で前記遊技盤３の裏面３ｂ下部に固定し、前記合同基板収容ボックス１００は前記集合板６０の合同基板用取付部６７によって集合板６０に固定される。
【００３４】
図６及び７に示すとおり、前記遊技盤３と前記主制御基板収容ボックス７０との取り付けは、集合板６０の突出取付部６１と主制御基板収容ボックス７０の取付部７１と固定具１１０とからなる第１の取付手段によって行われる。前記固定具１１０により、前記主制御基板収容ボックス７０の外周面７９の上部の左右両側に設けられた一端側である取付部７１を介して突出取付部６１に係着され、前記遊技盤３の集合板６０に前記主制御基板収容ボックス７０が固定される。なお、前記固定具１１０には、ビス等公知の部材が用いられるが、取付の簡便さからニフラッチ（登録商標）を用いることが好ましい。
【００３５】
また、図６に示すように、主制御基板収容ボックス７０は、機構板４０の開口部４９を介し、遊技盤３と払出制御基板収容ボックス８０及び電源基板収容ボックス９０とによって前記機構板４０を挟み込むようにして取り付けられるものであるから、前記機構板４０が遊技盤３の裏面３ｂ側に正確に配置されなければ前記主制御基板収容ボックス７０と集合板６０との取り付けが困難となる。すなわち、主制御基板収容ボックス７０の取り付けいかんによって、機構板４０の組立状態を確認することが可能となる。
【００３６】
また、図７に示したように、主制御基板収容ボックス７０は、遊技盤３（弾球遊技機１）の裏面３ｂ下方側に位置するように取り付けられるため、前記遊技盤３の裏面３ｂの上部及び中央部において、各種装置を取り付けることが可能な空間が従来と比較して広がり、画像表示装置及びそれに付随する装置等を大きくして設置することが可能となる。さらに、前記主制御基板収容ボックス７０は、所定の長さｄを有する突出取付部６１によって固定されているため、集合板６０と該主制御基板収容ボックス７０との間に他の基板収容ボックス（実施例では合同基板収容ボックス１００）を収容することができ、弾球遊技機１の裏面側の取付空間を効率よく使うことができる。加えて、主制御基板収容ボックス７０と払出制御基板収容ボックス８０及び、主制御基板収容ボックス７０と電源基板収容ボックス９０とがそれぞれ第２の取付手段によって取り付けられているため、各基板収容ボックス同士の取り付けにビス等の部材を用いる必要がなくなり、取り付けが容易になる。
【００３７】
なお、本発明は、上記実施例に限定されるものではなく、発明の趣旨を逸脱しない範囲において構成の一部を適宜に変更して実施することができる。例えば、第２の取付手段において、実施例では、主制御基板収容ボックス（第２の基板収容ボックス）７０の併設部７２を外周面７９から下方に突設された部材とし、払出制御基板収容ボックス（第１の基板収容ボックス）８０の受け部８２を外周面８７から略Ｕ字状に突出した形状の部材としたものである。これに対して、図１０（ａ）に示すように、前記主制御基板収容ボックス７０の外周面７９に孔部７２ａを設けた併設部７２とし、前記払出制御基板収容ボックス８０の外周面８７には当該外周面８７から突出しかつ略直上方向に突設された突出片８２ａを有する受け部８２ｐを設け、図１０（ｂ）のように前記凸部８２ａを前記孔部７２ａに挿入して前記併設部７２を受け止めるように構成することもできる。
【００３８】
また、図１１（ａ）に示すように、主制御基板収容ボックス７０の外周面７９の下部に払出基板収容ボックス８０側へ向かって突出し、かつ、断面が略Ｌ字状に屈曲した凸部７２ｃを有する併設部７２と、前記基板収容ボックス８０の外周面８７に設けられた孔部８２ｃである受け部８２とによって、図１１（ｂ）のように前記凸部７２ｃを前記孔部８２ｃへ挿入して前記主制御基板収容ボックス７０を払出制御基板収容ボックス８０に取り付ける構成としてもよい。
【００３９】
さらに、図１２に示すように、主制御基板収容ボックス７０の外周面７９から突設された併設部７２に孔部７２ｄを設け、払出制御基板収容ボックス８０には外周面８７に対して略垂直方向に突設された凸部８２ｄを形成し、孔部７２ｄに凸部８２ｄを挿入して前記主制御基板収容ボックス７０と払出制御基板収容ボックス８０とを取り付ける構成とすることもできる。
【００４０】
また、実施例においては、第１の基板収容ボックスを払出制御基板収容ボックス８０，第２の基板収容ボックスを主制御基板収容ボックス７０、第３の基板収容ボックスを電源基板収容ボックス９０としたが、第１ないし第３の基板収容ボックスを上記の如く特定の基板収容ボックスに限定せず、例えば電源基板収容ボックス９０を第１の基板収容ボックス、払出制御基板収容ボックス８０を第３の基板収容ボックスとする等、用途に応じて適宜変更することができる。
【００４１】
さらに、実施例では、第１ないし第３の基板収容ボックスをそれぞれ一つずつとして構成したが、例えば、払出制御基板収容ボックス８０と電源基板収容ボックス９０をそれぞれ第１の基板収容ボックスとして同形状の第２の取付手段を設けるようにする等、各基板収容ボックスの数を限定することなく適宜取り付けることができる。
【００４２】
加えて、実施例は、画像表示装置等の遊技装置の配置を容易にする構成であるが、この他に第２種の弾球遊技機等に利用される可動役物等の遊技装置を配置することもできる。
【００４３】
【発明の効果】
以上図示し説明したように、請求項１の発明に係る基板収容ボックスの固定構造によれば、複数の基板収容ボックスのうち第１の基板収容ボックスと異なる第２の基板収容ボックスの一端側を遊技盤裏面側に取付可能な第１の取付手段と、当該第２の基板収容ボックスの他端側を前記第１の基板収容ボックスに取付可能な第２の取付手段とを備えたことにより、複数の基板収容ボックスを遊技機裏面側に配置する際に場所の制限が緩和されるとともに、組立作業が煩雑とならず、ビスや取付台等の余分な部材を使用せずに複数の基板収容ボックスを遊技機の裏面側に効率よく配置することができる。
【００４４】
請求項２の発明によれば、第２の取付手段が、第２の基板収容ボックスの外周面の少なくとも一部と第１の基板収容ボックスの外周面の少なくとも一部とを併設状態とすることによって取付可能に構成されているため、複数の基板収容ボックスを遊技機裏面側に配置する際の場所の制限をより緩和することができる。
【００４５】
請求項３の発明によれば、第１の取付手段が、集合板から弾球遊技機後方側に突出して形成された突出取付部を含み、第２の基板収容ボックスが前記突出取付部と係着することにより遊技盤裏面側に取付可能に構成されているため、第２の基板収容ボックスの取付位置が明確になる。
【００４６】
請求項４の発明によれば、弾球遊技機裏面側から見て第１の基板収容ボックスの上部側に第２の基板収容ボックスが積層配置するように構成され、前記第１の基板収容ボックスの外周面の少なくとも一部と併設状態となる前記第２の基板収容ボックスの併設部を受け止め可能な受け部が前記第１の基板収容ボックスに形成され、前記受け部と前記第２の基板収容ボックスが前記第２の取付手段により取付可能としたことにより、第２の基板収容ボックスの取付位置がより明確になるとともに、第２の基板収容ボックスを取り付けた際の安定性が向上する。
【００４７】
請求項５の発明によれば、受け部が、第１の基板収容ボックスの機構板への取付面と対向する面から弾球遊技機後方側に向けて突出した凸部であることにより、第２の基板収容ボックスの取付位置を明確にすることができる。
【００４８】
請求項６の発明によれば、第１の基板収容ボックスの機構板への取付面と対向する面が段部として形成され、受け部が、前記段部を構成する面のうち前記取付面と略垂直方向に形成された面であることにより、第２の基板収容ボックスを取り付けた際の安定性が向上する。
【００４９】
請求項７の発明によれば、機構板の少なくとも一部に開口部を形成したことにより、前記機構板の開口部の周辺に画像表示装置等及び可動役物等の遊技に関わる遊技装置を拡張したり、その配置の自由度を高めることができる。
【００５０】
請求項８の発明によれば、遊技盤と第２の基板収容ボックスの間に他の基板収容ボックスが配設される空間を設けたことにより、前記空間内に第１の基板収容ボックス及び第２の基板収容ボックス以外の基板収容ボックスを配置することができる。
【００５１】
請求項９の発明によれば、第２の取付手段が複数備えられており、第２の基板収容ボックスは第２の取付手段の少なくとも１つにより第１の基板収容ボックスに取り付けられるとともに、前記第２の取付手段の少なくとも１つにより機構板に配設された前記第１の基板収容ボックス及び第２の基板収容ボックス以外の第３の基板収容ボックスに取付可能に構成されたことにより、安定して第２の基板収容ボックスを取り付けることが可能であり、さらに、第２の基板収容ボックスを外して不正を行おうとしても手間がかかり、不正の抑止を図ることができる。
【図面の簡単な説明】
【図１】本発明の一実施例に係る弾球遊技機全体の正面図である。
【図２】同弾球遊技機全体の裏面図である。
【図３】機構板の斜視図である。
【図４】機構板に払出制御基板及び電源基板を取り付けた状態の斜視図である。
【図５】主制御基板収容ボックスを払出制御基板収容ボックスと電源基板収容ボックスに取り付ける際の機構板を省略した状態を表す斜視図である。
【図６】主制御基板収容ボックスを集合板に取り付ける状態を表す斜視図である。
【図７】主制御基板収容ボックスを集合板に取り付けた際の機構板を省略した状態の斜視図である。
【図８】図２のＡ−Ａ線の位置で切断した状態の部分断面図である。
【図９】図２のＢ−Ｂ線の位置で切断した状態の部分断面図である。
【図１０】図２のＡ−Ａ線の位置で切断した状態の第２取付手段の第二実施例に係る部分断面図である。
【図１１】図２のＡ−Ａ線の位置で切断した状態の第３取付手段の第二実施例に係る部分断面図である。
【図１２】第２の取付手段の第四実施例に係る部分斜視図である。
【符号の説明】
１  遊技機
４０  機構板
４９  開口部
５０  誘導流路部
６０  集合板
６１  突出取付部
７０  主制御基板収容ボックス
７１  取付部
７２  併設部
８０  払出制御基板収容ボックス
８２  受け部
９０  電源基板収容ボックス
９２  受け部
９８  段部
１００  合同基板収容ボックス
１１０  固定具
【図１】
2004321677.tif 000003
【図２】
2004321677.tif 000004
【図３】
2004321677.tif 000005
【図４】
2004321677.tif 000006
【図５】
2004321677.tif 000007
【図６】
2004321677.tif 000008
【図７】
2004321677.tif 000009
【図８】
2004321677.tif 000010
【図９】
2004321677.tif 000011
【図１０】
2004321677.tif 000012
【図１１】
2004321677.tif 000013
【図１２】
2004321677.tif 000014